(57)【特許請求の範囲】
【請求項１】
複数のキャラクタを格納する格納手段と、
前記格納手段からひとつのキャラクタを選択するキャラクタ選択手段と、
選択された前記キャラクタを表示する表示部と、
前記表示部に表示されたキャラクタに関する情報を入力する入力手段と、
前記キャラクタの表示から前記入力までの時間を計時する計測手段と、
前記入力手段で入力された情報及び、前記計測手段で計測された時間を記憶する記憶手段と、
前記キャラクタ選択手段及び前記記憶手段の動作を制御し、更に、タイマーを有し、予め決められた時間間隔で、前記入力手段で入力された情報及び、前記計測手段で計測された時間を前記記憶手段に記憶させる制御手段と、
前記予め決められた時間間隔とは異なる時間に、前記入力手段で入力された情報及び、前記計測手段で計測された時間を前記記憶手段に記憶させるように、前記記憶手段の動作の開始を遅延させる遅延手段と、を備えたことを特徴とする携帯型生体情報収集装置。
【請求項２】
複数のキャラクタを格納する格納手段と、
前記格納手段から複数のキャラクタを順次選択するキャラクタ選択手段と、
選択された前記複数のキャラクタを順次表示する表示部と、
前記表示部に順次表示されたキャラクタに関する情報を入力する入力手段と、
前記キャラクタの表示から前記入力までの時間を計測する計測手段と、
前記入力手段で入力された情報及び、前記計測手段で計測された時間を記憶する記憶手段と、
前記キャラクタ選択手段及び前記記憶手段の動作を制御し、更に、タイマーを有し、予め決められた時間間隔で、前記入力手段で入力された情報及び、前記計測手段で計測された時間を前記記憶手段に記憶させる制御手段と、
前記予め決められた時間間隔とは異なる時間に、前記入力手段で入力された情報及び、前記計測手段で計測された時間を前記記憶手段に記憶させるように、前記記憶手段の動作の開始を遅延させる遅延手段と、を備えたことを特徴とする携帯型生体情報収集装置。
【請求項３】
前記記憶手段は、前記入力手段で入力された情報及び、前記計測手段で計測された時間を、時系列的に一定時間継続して記憶することを特徴とする請求項１または２に記載の携帯型生体情報収集装置。
【請求項４】
前記入力手段は、カーソルキーで構成されていることを特徴とする請求項１から３のいずれかに記載の携帯型生体情報収集装置。
【発明の詳細な説明】
【０００１】
【発明の属する技術分野】
本発明は装着者の日常生活における生体情報を時系列的に収集する携帯型生体情報収集装置に関する。
【０００２】
【従来の技術】
従来の生体情報モニタリング装置は、生体情報を連続的に計測することにより、健康管理や診断、治療の手助けとすることは広く知られている。たとえば、歩数計などは一般に広く普及した装置であり、装着者の運動量を歩数に着目して計測している。この場合、計測は連続的に行われるが、データの取り扱いは総数的で、1日の総歩数でもって健康管理の指標としている。
また、米国特許（Patent Number:5197489）においては、装着者の体動を時系列的に記録し治療診断に役立てようとする試みがなされている。
【０００３】
これらの生体情報モニタリング装置においては、体動や活動量の変化などの他に脈拍センサや温度センサと組み合わせることで、それらの情報も時系列的に客観的に記録することができる。しかしながら、なぜ活動的だったのか、と言った原因に関わるような主観的な情報やその時の気分はどうであったのかと言った精神情報を得ることが出来ないと言う問題点を本出願人が指摘し、装着者の主観的な情報も定期的に得られるようにした携帯型生体情報収集装置を提案して来ている。
【０００４】
一方、最新の研究において、アルツハイマー病や老人性痴呆症の診断に使われている認知機能テストと行動パターンとの関係や、気分動向との関係に関心が集まり始めて来ている。認知機能テストの例を示すと、「麦茶」、「さんま」などと言った簡単な単語１５種をコンピュータ画面に３秒間隔で連続的に表示した後、９０秒後にそれを回答させる直後自由再生課題や、その１５単語にさらに１５単語を加えた３０単語から最初の１５単語を回答させる遅延確認課題、任意のキャラクタが無作為に表示され、時系列的に前後関係に有るキャラクタ同士が同一で有るか否かを問う直後確認課題、などいくつかの種類が有るが、いずれも短期的な記憶機能を評価するもので、この部分を司る脳の前頭葉部分の機能を検査するものである。一般的にこれらは、前頭葉機能検査又は認知機能テストと呼ばれている。そして、これら検査（以下本明細書では認知機能テストと呼ぶ。）は、どれも病院や診療所のコンピュータを使って行われていた。
【０００５】
【発明が解決しようとする課題】
従来の認知機能テストは、病院や診療所コンピュータを使って行っていたため、患者の日常生活における記憶機能の細かい変動を捕らえることが不可能で有った。
本発明の目的は、日常生活において定期的に認知機能テストを実施可能にすることで、記憶機能の変動を捕らえることを可能にした人体に装着可能な携帯型生体情報収集装置を提供することに有る。更に、行動パターンと記憶機能の関係や、気分動向と記憶機能との関係などの最新の研究に供する携帯型生体情報収集装置を提供することに有る。
【０００６】
【課題を解決するための手段】
本発明における認知機能テストは、携帯型生体情報収集装置の特徴から直後確認課題型としている。すなわち回答が正解か不正解か、以上か未満か、右か左か、上か下か、と言ったような1回の操作で答えられる質問形式にしている。
本発明における携帯型生体情報収集装置は、複数のキャラクタ格納する格納手段と、格納手段からキャラクタを選択するキャラクタ選択手段と、選択されたキャラクタを表示する表示手段と、表示手段に表示されたキャラクタに関する情報を入力する入力手段と、キャラクタの表示から入力までの時間を計時する計測手段と、入力手段で入力された情報及び、計測手段で計測された時間を記憶する記憶手段と、から構成されることを特徴とする。
【０００７】
また、本願発明における携帯型生体情報収集装置は、日常生活の中で使われることを想定して、質問に対する回答を遅延させる遅延手段も備える。この遅延手段は携帯者が回答出来ないような状況、たとえば急いで走っている時、会議中など等、回答できない旨を入力すると、たとえば30分後に再び質問を開始する。この遅延質問機能が有るため、日常生活に支障を来たすこと無く情報収集することが可能になる。
【０００８】
【発明の実施の形態】
【実施例】
以下、本発明の一実施例について図面を参照して説明する。図1は本発明の一実施例による携帯型生体情報収集装置の外観図であり、図１（ａ）は平面図、（ｂ）は側面図である。携帯型生体情報収集装置100は、本体部分101と一対のバンド108、109により構成され、バンド108、109により装着者の手首に装着できるようになっている。本体部分101は、表示部102と複数のキー103、104、105、106、107を有する。表示部102は、たとえばＬＣＤ等の表示装置であり、普段は時刻情報を表示させることで、本携帯型生体情報収集装置100を時計機能を有する腕時計として使用することができる。認知機能テスト実施時は、表示部102に任意のキャラクタの繰り返し点灯と消灯が繰り返される。装着者はそのキャラクタの前後の関係を判断しその結果をキー107で入力する。
【０００９】
本実施例では、キー107は上下左右の4軸のカーソルキー型の入力装置であり、たとえば、時系列的に前後関係のキャラクタ表示が同一か同一で無いかを同一の場合、右、同一で無い場合、左、という様に操作を簡単にすることで、装着者が記憶だけに集中できる様に配慮している。その他のキー103,104,105,106は、他の機能を実現するために用いられる。たとえば、モード切替えや時刻修正などであり、本発明とは直接関連しないので説明は省略する。本発明による携帯型生体情報収集装置は腕時計型をしているので、認知機能テストが行われない時、表示部102には時刻を表示していると装着者は便利である。本体部分101の側面には、外部のパーソナルコンピュータ等との入出力端子110,111,112が形成されている。
【００１０】
図2は携帯型生体情報収集装置100とパーソナルコンピュータ（以下、PCと記述する。）210を接続し、通信を行う時の概念図である。携帯型生体情報収集装置100はドッキングステーション200を介してPC210と接続される。ドッキングステーション200には、接続ピン201、202、203が設けられており、接続ピン201,202,203は、携帯型生体情報収集装置100のそれぞれの入出力端子110,111,112と接触するようになっており、ケーブル204によりPC210の入出力ポートとつながっている。携帯型生体情報収集装置100とPC210の間で通信を行うことにより、認知機能テストの結果を容易にPC210に転送することが可能になる。
【００１１】
PC210において転送されたテスト結果を各種分析ソフトで分析する。携帯型生体情報収集装置100とPC210との間で通信を行うことにより、生体情報検出のための各種設定データや気分動向を評価する為の質問事項なども、PC210から携帯型生体情報収集装置100に容易に書き込むことができる。
図2ではPC210と携帯型生体情報収集装置100の接続にドッキングステーション200及び204を用いたが、ステーションやケーブルを用いずに赤外線等の通信手段を用いることも可能である。
【００１２】
図3は携帯型生体情報収集装置100の構成図である。制御手段304は、予め定められた時間間隔で認知機能テストを行う。認知機能テスト開始時、まず始に制御手段304はキャラクタ選択手段300に複数種のキャラクタから無作為に1つの第1キャラクタを選択させる。制御手段304はその選択された第1キャラクタを表示部301に一定時間表示させる。この表示部301は、図１における表示部102に相当する。制御手段304は第1キャラクタを一定時間表示部301に表示させた後、第1キャラクタを消灯させ、キャラクタ選択手段300に第1キャラクタと同様に複数種のキャラクタから無作為に第2キャラクタを選択させる。制御手段304は第1キャラクタと同様に第2キャラクタを表示部301に表示すると同時に反応時間計測手段302の計測を開始させる。
【００１３】
本発明の携帯型生体情報収集装置の装着者は、時系列的に表示された第1キャラクタと第2キャラクタとの関係がどうで有ったか、例えば同じであったか、異なっていたかという、キャラクタに関する情報を入力手段303を用いて回答する。この入力手段303は、図１におけるキー107に相当する。
入力手段303からの入力が有ると反応時間計測手段302は直ちに時間計測を停止する。この反応時間の計測は、偶数回目のキャラクタが表示されたときに行われる。制御手段304は入力手段303からの入力が正解なのか否かの情報と反応時間計測手段302の計測時間を記憶手段305に記憶させる。制御手段304は記憶手段305に正誤情報と計測時間を記憶させた後、反応時間計測手段302をリセットさせ、再びキャラクタ選択手段300に複数種のキャラクタから無作為に1つの第3キャラクタを選択させる。以上述べた第1キャラクタの選択から制御手段304が反応時間計測手段302をリセットさせるまでの動作を、ある一定時間繰り返し行うことで認知機能テストは実施される。
【００１４】
図4は本発明の一実施例を示すブロック図である。入力手段409、Ｉ/Ｏポート408、リアルタイムクロック（以下ＲＴＣと記述する。）407、タイマー406、ブザードライバ415、ＬＣＤドライバ413、ＲＯＭ412、ＲＡＭ411、ＣＰＵ410はバスラインに接続されている。ブザードライバ415の出力にはブザー416、ＬＣＤドライバ413の出力にはＬＣＤ414が接続されている。以上の構成で認知機能テストは実現可能であるが図4においては、生体情報の一つとして装着者の行動パターンを記録可能にする構成も付加されている。
【００１５】
加速度センサ400は、圧電型の加速度センサでニオブ酸リチウムやチタン酸ジルコン酸鉛等の圧電素子を片持ち梁に形成し、加速度により素子がたわんで電荷を発生するもので有る。すなわち、加速度センサ400は、装着者の動きに応じて加速度を検出し、信号を出力する。
前記信号は、増幅手段401により増幅される。増幅された信号は、各種ノイズや高周波成分を含んでいるので、ハイパスフィルター402とローパスフィルター403により必要な周波数成分が取り出される。ハイパスフィルター402とローパスフィルター403により抽出された体動を表す信号は、変換手段404により定量化、数値化される。
【００１６】
数値化の方法としては、体動を表す信号を直接Ａ/Ｄ変換する方法や、基準電圧との比較により計数化する方法がある。小型化、省電力化の点では後者の方が適しているので、本実施例では計数化する構成にしてある。Ｉ/Ｏポート408からの信号ＣＳ1とＣＳ2によりコンパレータ420の基準電圧が設定される。コンパレータ420は、基準電圧と体動を表す信号とを比較し、体動を表すアナログ信号を2値のデジタル信号に変換する。変換されたデジタル信号はカウンタ405に入力され数値化される。
【００１７】
次に認知機能テストの動作を図4と図５を合わせて説明する。タイマー406は予め設定されている体動の検出周期Ｔｓと認知機能テスト実施周期Ｔｃ毎に割り込みを発生する。割り込みが発生するとＣＰＵ410はＲＯＭ412に格納されている処理プログラムにしたがって処理を開始する。割り込みがＴｃnで無いときは他の処理を実施し、割り込みがＴｃnのとき、認知機能テストを開始する（処理500）。
まず認知機能テストの開始をブザーを鳴動して携帯者に告知する（処理501）。次に動
作回数のカウント値Ｉをリセットする（処理502）。次に認知機能テストの実施時間を管
理するテスト時間計測タイマーの計測をスタートさせる（処理503）。
【００１８】
具体的な一例としてはＲＴＣ407の時刻情報を読み出し、テスト時間を加算した時刻をテスト終了時間としてＲＡＭ411にストアさせる。次にＣＰＵ410は矩形分布乱数を発生させその乱数をＲＡＭ411にストアする（処理504）。次に乱数に対応した第1のキャラクタをＣＰＵ410が選択しＬＣＤドライバ413を介してＬＣＤ414に表示させる（処理505）。
ここで処理504で発生させる乱数が整数で有れば、直接その乱数をＬＣＤ414に表示させても良い。表示させたキャラクタをＣＰＵ410は1秒後に消灯させる（処理506）。
【００１９】
次に再びＣＰＵ410は矩形分布乱数を発生させその乱数をＲＡＭ411にストアする（処理507）。次に乱数に対応した第2のキャラクタをＣＰＵ410が選択しＬＣＤドライバ413を介してＬＣＤ414に表示させる（処理508）。次にＣＰＵ410は比較的早いタイマー割り込み、たとえば64Ｈｚ割り込みを許可し、64Ｈｚ割り込みをＲＡＭ411にカウントさせる事で反応時間タイマーの計時をスタートさせる（処理509）。処理509で反応時間タイマーをスタートさせた後、装着者からのスイッチ入力をスイッチ入力待ちで待つ（処理510）。
【００２０】
装着者からのスイッチ入力が1秒を越えて無い場合、第2のキャラクタ表示は消灯される（処理516、517）。装着者からのスイッチ入力が5秒を越えて無い場合、ＣＰＵ410は動作回数のカウント値ＩをＲＡＭ411内の配列Ｋ（Ｉ）に、5秒以内に回答が無かったことを意味する「2」を同じく配列Ａ（Ｉ）に、反応時間タイマーの計時値Ｒｔを配列Ｔ（Ｉ）にストアし、スイッチ入力待ち状態から抜ける。
装着者からのスイッチ入力が第2のキャラクタ表示後から5秒以内に有った場合、反応時間タイマーによる計時は直ちに停止される（処理511）。ＬＣＤ414に表示されている第2のキャラクタも点灯していれば消灯される（処理512）。携帯者が入力手段409で入力した結果が処理513で評価される。
【００２１】
ＲＡＭに記憶されている第1のキャラクタ選択時の乱数と第2のキャラクタ選択時の乱数が同じ場合に、携帯者が同じを意味する入力を入力手段409で行った時、ＣＰＵ410は動作回数のカウント値ＩをＲＡＭ411内の配列Ｋ（Ｉ）に、携帯者の回答が正しかったことを意味する「1」を配列Ａ（Ｉ）に、反応時間タイマーの計時値Ｒｔを配列Ｔ（Ｉ）にストアし、スイッチ入力待ち状態から抜ける。
【００２２】
ＲＡＭに記憶されている第1のキャラクタ選択時の乱数と第2のキャラクタ選択時の乱数が同じ場合に、携帯者が「違う」を意味する入力を入力手段409で行った時、又は、ＲＡＭに記憶されている第1のキャラクタ選択時の乱数と第2のキャラクタ選択時の乱数が違う場合に、携帯者が「同じ」を意味する入力を入力手段409で行った時、装着者の回答が間違えで有ったことを意味する「0」を配列Ａ（Ｉ）に、反応時間タイマーの計時値Ｒｔを配列Ｔ（Ｉ）にストアし、スイッチ入力待ち状態から抜ける。
【００２３】
スイッチ入力待ち状態から抜けるとき、反応時間タイマーはリセットされ、64Ｈｚ割り込みも禁止される。次にテスト時間が経過しているか否かを処理521で確認する。テスト時間がまだ終わっていない間は、再び処理503に戻り次のキャラクタ表示を行い、第1のキャラクタ表示（処理505）から反応時間タイマーのリセット（処理521）までの処理を繰り返す。テスト時間を経過している場合は、ＨＡＬＴ（処理522）で認知機能テストを終了する。以上述べた様な構成及び動作で携帯型生体情報収集装置において、認知機能テストを実施することが可能になる。
【００２４】
図4に示す本発明の一実施例では生体情報として、装着者の体動情報も収集することが可能な構成になっている。
図6に体動検出回路の具体例を示し動作を説明する。圧電型加速度センサ６００は、抵抗６０１と並列接続され、一端は接地してある。他端は出力端であり、加速度に比例した電圧を発生する。この出力端は、オペアンプ６０２の非反転入力につながっている。オペアンプ６０２の反転入力は帰還抵抗６０３を介してオペアンプ６０２の出力端と、抵抗６０４を介してグランドにつながり、全体で増幅回路を構成している。オペアンプ６０２の出力端は、さらにコンデンサ６０５、６０７を介してオペアンプ６１０の反転入力に接続される。
【００２５】
オペアンプ６１０の出力端は、帰還抵抗６０９とコンデンサ６０６により帰還回路を構成する。コンデンサ６０５、６０６、６０７の接点はさらに抵抗６０８を介して接地する。オペアンプ６１０と、コンデンサ６０５、６０６、６０７および抵抗６０８、６０９は、多重帰還型ハイパスフィルターを構成している。オペアンプ６１０の出力端は、抵抗６１１、６１３を介して、次のオペアンプ６１６の反転入力につながっている。オペアンプ６１６の出力端は、帰還抵抗６１２とコンデンサ６１５により帰還回路を構成する。抵抗６１１、６１２、６１３の接点はさらにコンデンサ６１４を介して接地する。
【００２６】
オペアンプ６１６と、抵抗６１１、６１２、６１３およびコンデンサ６１４、６１５は、多重帰還型ローパスフィルターを構成している。オペアンプ６１６の出力は、オペアンプ６１７の非反転入力へつながっている。また、オペアンプ６１７の反転入力には基準電圧Ｖｒｅｆが与えられており、オペアンプ６１７はコンパレータとして動作する。基準電圧Ｖｒｅｆは、抵抗６１９、６２０、６２１、６２２とアナログスイッチ６２３、６２４により、生成される。アナログスイッチ６２３、６２４は、信号ＣＳ１、ＣＳ２によりそれぞれＯＮ、ＯＦＦし、基準電圧Ｖｒｅｆの値を変化させることができ、オペアンプ６１７の感度を変えることができる。オペアンプ６１７の出力は、バッファ６１８により片電源の矩形波に成形される。この矩形波が、図４のカウンタ４０５に入力され、計数されることになる。
【００２７】
図７は、図６のＡＳ点と出力ＰＳの波形を示したものである。
ＡＳ点では、装着者の体動を表すアナログ信号が出力されており、これがコンパレータにより基準電圧Ｖｒｅｆと比較される。コンパレータの出力は、バッファにより成形されＰＳ点での波形は、２値の矩形波となる。
この矩形波は、装着者の体動にともなって発生し、カウンタ４０５に蓄積され体動検出周期Ｔｓ毎に読み出されると伴に初期化される。したがって、体動検出周期Ｔｓ間の装着者の体動に伴うカウント値がＲＡＭに記録されて行く。図８に体動測定終了後、計測結果をＰＣに読み込み、グラフ化した場合の一例を示す。
図８は横軸に時間をとり、縦軸に体動のカウント値をとっている。図８に示すように携帯者の1日の活動の様子がよく現れている。午前中（期間Ｐ1）では活動が活発で、午後（期間Ｐ2）ではやや不活性化し、就寝前（期間Ｐ3）に再び活発化し、期間Ｐ4で就寝していると言った日内の活動の様子が確認出来る。
【００２８】
以上述べた様に、本発明による携帯型生体情報収集装置によれば、装着者の活動の様子を簡単に記録することが可能になる。と同時に定期的な認知機能テストも合わせて実施することが出来るので、記憶機能の変動にプラスして活動量の把握も可能になる。
上述した認知機能テストの動作では、認知機能テスト開始の割り込みＴｃが発生すると無条件にテストがスタートする形で説明した。しかし、本発明による携帯型生体情報収集装置は日常生活の中で使用するものであり、画一的な周期でテストに答える事が不可能な場合が往々にして有る。そこで本発明では、テストの遅延機能を有する。
【００２９】
認知機能テスト開始の割り込みＴｃが発生した時点で、装着者が何らかの理由でテストが出来ない時に備えて、割り込みＴｃ発生時にＬＣＤにテストに答えられる状況か否かを問う表示を行う。携帯者がテストに答えられない時の、テスト開始を一定時間遅らせる処理の動作フローを図９に示し動作を説明する。
認知機能テスト実施時間Tcnによる割り込みも時、ブザーを鳴動させ（処理901）装着者に認知機能テストの開始時間が来たことを知らせる。と同時にLCDにテスト開始が可能か表示する（処理902）。開始可能の時、先に説明した処理502を行う。開始不能のとき、テスト開始遅延処理に移行する（処理903）。
【００３０】
処理904では、遅延フラグがセットされているか否かをチェックし既に遅延処理が行われたのか否かを確認する。遅延フラグが0で今回の実施時間Tcnにおける遅延処理が初めてのとき、次回のテスト実施時間Tcn+1のテスト開始時刻を一時メモリの他の領域に退避させる（処理905）。次に次回のテスト開始時刻を30分後に設定する（処理906）。次に遅延フラグをセットし（処理907）、動作を終了（処理908）する。
以上の処理により規則正しく設定されている認知機能テストのテストを一定時間遅らせることが出来る。
【００３１】
処理904で遅延フラグが既にセットされている場合は、今回のテスト実施時間Tcnにおける遅延操作が２度目であるので、本実施例では遅延フラグをリセットし（処理909）、次回のテスト実施時間であるTcn+1を一度、処理905で退避した時刻に再設定をして動作を終了する（処理908）。すなわち本実施例の場合、遅延操作は１度しか認めず２度目の場合、今回Tcnにおけるテストは中止し、次回のテスト実施時刻は規則的な時刻に再設定される。以上のように簡単にテスト開始時刻を遅延させることが可能である。
【００３２】
尚、説明した実施例ではTcn+xのテストを繰り返して行くと装着者が就寝中もテストで起こされてしまうことになる。これを防止するための一つの方法として体動測定の結果を利用し、自動的に携帯者が就寝したことを検出して認知機能テストの開始を禁止することも可能である。
すなわち図7で説明したように体動測定の結果を見ることで装着者が就寝したかどうかを携帯型生体情報収集装置で検出することが出来るので、就寝を自動的に検出し、認知機能テストを禁止することが出来る。また、このように自動的に行うのでは無く、携帯者の操作で、就寝と起床の情報を携帯型生体情報収集装置に入力するようにし、就寝中は認知機能テストが実施されない様にしても良い。
【００３３】
【発明の効果】
以上説明したように、本発明ではアルツハイマーや痴呆の診断に利用される認知機能テストを携帯型情報収集装置で実施できると共に、装着者の活動の情報も併せて記録することも可能になるので、行動パターンと記憶機能の関係や、気分動向と記憶機能との関係などの最新の研究に役立つ携帯型生体情報収集装置を提供することが出来る。
【図面の簡単な説明】
【図１】  本発明の一実施例による携帯型生体情報収集装置の外観図である。
【図２】  携帯型生体情報収集装置とパーソナルコンピュータを接続し、通信を行なう時の概念図である。
【図３】  本発明の携帯型生体情報収集装置の構成図である。
【図４】  本発明の一実施例を示すブロック図である。
【図５】  本発明による認知機能テストの動作フローを示す図である。
【図６】  本発明による体動検出回路の一具体例を示す図である。
【図７】  本発明の一実施例による携帯型生体情報収集装置の体動検出回路における出力波形図である。
【図８】  本発明の一実施例による携帯型生体情報収集装置の計測結果を示すグラフである。
【図９】  本発明によるテスト開始を一定時間遅らせる処理を説明する動作フロー図である。
【符号の説明】
１００  携帯型生体情報収集装置
１０１  本体
１０２  表示手段
１０３、１０４、１０５，１０６、１０７  キー
１０８、１０９  バンド
１１０、１１１、１１２  入出力端子
２００  ドッキングステーション
２０１、２０２、２０３  接続ピン
２０４  ケーブル
２１０  パーソナルコンピュータ
３００  キャラクタ選択手段
３０１  表示部
３０２  反応時間計測手段
３０３  入力手段
３０４  制御手段
３０５  記憶手段
４００  加速度センサ
４０１  増幅手段
４０２  ハイパスフィルター
４０３  ローパスフィルター
４０４  変換手段
４０５  カウンタ
４０６  タイマー
４０７  ＲＴＣ
４０８  Ｉ／Ｏポート
４０９  入力手段
４１０  ＣＰＵ
４１１  ＲＡＭ
４１２  ＲＯＭ
４１３  ＬＣＤドライバ
４１４  ＬＣＤ
４１５  ブザードライバ
４１６  ブザー
４２０  コンパレータ
６００  加速度センサ
６０１、６０４、６０８、６１１、６１３、６１９、６２０、６２１、６２２  抵抗
６０２、６１０、６１６、６１７  オペアンプ
６０３、６０９、６１２  帰還抵抗
６０５、６０６、６０７、６１４、６１５  コンデンサ
６１８  バッファ
６２３、６２４  アナログスイッチ
【図１】
0003902506.tif 000002
【図２】
0003902506.tif 000003
【図３】
0003902506.tif 000004
【図４】
0003902506.tif 000005
【図５】
0003902506.tif 000006
【図６】
0003902506.tif 000007
【図７】
0003902506.tif 000008
【図８】
0003902506.tif 000009
【図９】
0003902506.tif 000010